(57)【要約】      （修正有）【課題】添い寝の際の赤ちゃんの圧死や窒息死といった事故を抑制することが可能であり、しかも赤ちゃんのベッドからの落下を防ぐ用途にも使用可能であり、また、添い寝の安全確保のみならず、おすわりの補助といった方法にも利用可能な添い寝用クッションを提供する。【解決手段】平板状の係止プレート１０と、係止プレートに連結されると共に長さ調節のためのアジャスタを介在させたたベルト部材３０と、ベルト部材に連結された複数のＬ型プレート２０と、Ｌ型プレートで支持されると共に内部に可撓パイプが装入されたクッション部材４０とで構成した。【選択図】図１
0003186007.tif 000002
【実用新案登録請求の範囲】
【請求項１】
平板状の係止プレート（１０）と、係止プレート（１０）に連結されたベルト部材（３０）と、ベルト部材（３０）に連結されたＬ型プレート（２０）と、Ｌ型プレート（２０）で支持されるクッション部材（４０）と、により成る添い寝用クッション。
【請求項２】
クッション部材（４０）の中に可撓パイプ（４３）を装入し、クッション（４１）を任意形状に屈曲可能とした請求項１に記載の添い寝用クッション。
【請求項３】
Ｌ型プレート（２０）を複数設けた請求項１又は請求項２に記載の添い寝用クッション。
【請求項４】
アジャスタ（３１）を介在させることでベルト部材（３０）の長さを調節可能とした請求項１乃至請求項３いずれかに記載の添い寝用クッション。
【請求項５】
クッションカバー（４２）でＬ型プレート（２０）を挟持することでクッション部材（４０）を支持可能とした請求項１乃至請求項４いずれかに記載の添い寝用クッション。
【考案の詳細な説明】
【技術分野】
【０００１】
本考案は赤ちゃんに添い寝する際に使用するクッションに関し、より詳しくは赤ちゃんのベッドからの転落や、添い寝者の寝返りに伴う赤ちゃんの圧死等を防ぐための添い寝用クッションに関する。
【背景技術】
【０００２】
添い寝は、乳幼児の心理的な成長を助ける重要なスキンシップとして認知されている。
【０００３】
かかる効果を有する添い寝は、同じ布団の上、或るいは同じベッド上で添い寝者の隣に赤ちゃんを寝かせるという方法で行われるのが通常である。
【０００４】
また、添い寝者のベッドの隣にベビーベッドを置き、ベビーベッドの柵のうち、添い寝者のベッドと隣接する側の柵を倒し、必要に応じ添い寝者が赤ちゃん側に身体を乗り出し、あやすといった方法で添い寝が行われることもある。
【０００５】
また、添い寝ベッドと呼ばれる、足側以外の三方をマットで囲んだ小さな寝具を大人のベッド上に置き、当該寝具内に赤ちゃんを寝かせるといった添い寝法もある。
【０００６】
特許文献１には、赤ちゃんに添い寝しながら授乳する際、母親の腹部又は背部に使用するクッションが開示されている。
【０００７】
特許文献２には、赤ちゃんに添い寝しながら腕枕をする際に使用するマットであり、赤ちゃんの頭を載せる側を上向きに傾斜させるとともに、腕枕をする腕を載置するための凹部を設けた添い寝用マットが開示されている。
【先行技術文献】
【特許文献】
【０００８】
【特許文献１】登録実用新案公報第３１２６３６８号
【特許文献２】登録実用新案公報第３０７９７９４号
【考案の概要】
【考案が解決しようとする課題】
【０００９】
添い寝には、添い寝者の寝返りによる赤ちゃんの圧死や窒息死の危険がある。係る事態を心配することに伴い、添い寝者が十分な睡眠が取れないという問題もある。
【００１０】
ベッド上で添い寝をすると、赤ちゃんの寝返りに伴い、赤ちゃんが落下する恐れが有る。
【００１１】
また、添い寝者のベッドの隣にベビーベッドを置くといった方法は、部屋が広くないと難しい。また、段差が生じる場合が有り、添い寝者が身体を乗り出す際に身体的負担が生じるという問題点もある。
【００１２】
また、上記添い寝ベッドは、添い寝以外の用途に使えないという難点もある。
【００１３】
そこで本考案は、添い寝の際の赤ちゃんの圧死や窒息死といった事故を抑制することが可能であり、しかも赤ちゃんのベッドからの落下を防ぐ用途にも使用可能であり、また、添い寝の安全確保のみならず、おすわりの補助といった方法にも利用可能な添い寝用クッションを提供することを目的とする。
【課題を解決するための手段】
【００１４】
上記の目的を達成する本考案の構成は次の通りである。
【００１５】
（１）  請求項１に記載の考案は、平板状の係止プレートと、係止プレートに連結されたベルト部材と、ベルト部材に連結されたＬ型プレートと、Ｌ型プレートで支持されるクッション部材とで構成した。
【００１６】
（２）  請求項２に記載の考案は、請求項１記載の添い寝用クッションにおいて、クッションの中に可撓パイプを装入し、クッション部材を任意形状に屈曲可能に構成した。
【００１７】
（３）  請求項３に記載の考案は、請求項１又は２に記載の添い寝用クッションを、Ｌ型プレートを複数設けて構成した。
【００１８】
（４）  請求項４に記載の考案は、請求項１乃至３いずれかに記載の添い寝用クッションにおいて、アジャスタを介在させることでベルト部材の長さを調節可能に構成した。
【００１９】
（５）  請求項５に記載の考案は、請求項１乃至４いずれかに記載の添い寝用クッションにおいて、クッションカバーでＬ型プレートを挟持することで、クッションを支持可能に構成した。
【考案の効果】
【００２０】
上記のように構成される本考案が、如何に作用して課題を解決するかを図面を参照しながら概説する。
【００２１】
図１は本考案に係る添い寝用クッションの斜視図である。平板状の係止プレート１０とＬ型プレート２０がベルト部材３０を介して連結されており、当該Ｌ型プレート２０によりクッション部材４０が支持されるものである。
【００２２】
図５は本考案の実施状態を示す正面図、図６は同右側面図であり、図７は同底面図である。図示されるように、本考案に係る添い寝用クッションは、ベッド１を構成するボトム２とマットレス３との間にベルト部材３０を介在させると共に、係止プレート１０をマットレス３とボトム２で係止し、且つ、Ｌ型プレート２０が、係止プレート１０が係止された側と反対側のマットレス３の側面に当接する位置で支持される形態で、使用されるものである。そしてＬ型プレート２０により、マットレス３上に載置せしめたクッション部材４０を支持するものである。
【００２３】
図２乃至図４は本考案の実施状態を示す説明図である。図２はクッション部材４０をコ字状に屈曲形成し、その一側面をＬ型プレート２０で支持したものである。コ字状に形成したクッション部材４０の内側に赤ちゃんを寝かせれば、クッション部材４０が障壁になることにより、添い寝者が寝返りを打つことで赤ちゃんの上に覆い被さったり、あるいは手が口を覆ってしまうといった事態を防ぐことが可能となるのである。
【００２４】
図３はクッション部材４０を直線状に形成し、マットレス３の側辺に載置した状態を示し、図４はクッション部材４０を９０度屈曲し、マットレス３の角に載置した状態を示している。係る形状でクッション４０をマットレス３上に載置し、壁を形成することで、赤ちゃんがベッドから転落することを防止することが可能となるのである。
【００２５】
クッション部材４０はその内部に可撓パイプ４１が装入されていることから、図８に示すように様々な形状に屈曲形成することが可能である。すなわち、図８aのように直線状に形成したり、図８bに示すようにコ字状に形成したり、図８ｃに示すように９０度屈曲形成したり、図８ｄに示すようにＳ字状に形成したり、図８ｅに示すように傾斜面が内周側にくる形態で円形に形成したり、図８ｆに示すように傾斜面が外周側にくる形態で円形に形成したりすることが可能であり、赤ちゃんのおすわりの補助や遊戯具としての使用が可能となるのである。
【００２６】
以上のように、本考案によれば乳幼児の睡眠環境として安全が確保された空間の提供が可能となるのである。
【図面の簡単な説明】
【００２７】
【図１】本考案に係る添い寝用クッションの斜視図
【図２】本考案の実施状態を示す説明図
【図３】本考案の実施状態を示す説明図
【図４】本考案の実施状態を示す説明図
【図５】使用状態を示す正面図
【図６】同、右側面図
【図７】同、底面図
【図８】クッション部材の各種形状を示す説明図
【図９】係止プレートの斜視図
【図１０】Ｌ型プレートの斜視図
【図１１】ａ  クッションカバーの正面図              ｂ  同、平面図              ｃ  同、右側面図
【図１２】クッションカバーの斜視図
【図１３】クッションの斜視図
【図１４】同、Ａ−Ａ線断面図
【考案を実施するための形態】
【００２８】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。 
【００２９】
本考案に係る添い寝用クッションは、図１に示すように係止プレート１０、Ｌ型プレート２０、ベルト部材３０及びクッション部材４０を主な構成要素とする。
【００３０】
図５は係止プレート１０を示すものであり、平板状の板材の中央部にベルト部材３０を挿通し、ベルト部材３０と連結するための孔部１１が２箇所設けられている。
【００３１】
図６はＬ型プレート２０を示すものであり、Ｌ型に屈曲した板材の一方辺部２１にベルト部材３０を挿通し、ベルト部材３０と連結するための孔部２２が設けてある。図１においてＬ型部材２０は３個使用されているが、むろん係る限定を受けるものではなく、クッション部材４０の形状等に応じ、１個乃至複数個設ければよい。
【００３２】
ベルト部材３０は１本のひも状体でもよいし、図１に示すように途中で枝分かれする形状に設けても良い。要はＬ型部材２０の数に応じて枝分かれさせればよく、更には図示していないが係止プレート１０の数に応じて係止プレート１０と連結する側において枝分かれさせても構わない。また、マットレスの幅に応じてベルト部材３０の長さを調整可能とするため、ベルト部材３０にはアジャスタ３１が介在させてある。
【００３３】
クッション部材４０は、クッション４１と、クッション４１を内部に収容するクッションカバー４２、及びクッション４１内に装備される可撓パイプ４３とにより成る。
【００３４】
図１３はクッション４１の斜視図であり、図１４は同Ａ−Ａ線断面図である。クッション４１はクッション４１ａとクッション４１ｂという２つの部材を上下方向に重ねて構成され、全体として略三角形状の断面を呈する。そして、クッション４１ａとクッション４１ｂの間には可撓パイプ４３が介在させてある。むろんこれは一例であり、クッションを一体成型したうえで長孔を設け、当該長孔に可撓パイプ４３を装入するといった構成でも構わない。
【００３５】
可撓パイプ４３としては、クッション４１を屈曲した際に、屈曲した形状を維持できる程度の強度が必要であり、例えば金属製フレキシブルパイプなどが利用可能である。
【００３６】
図１１はクッションカバーの正面図等を示し、図１２はクッションカバー４２の斜視図を示す。クッションカバー４２は、クッション４１の外形に相似して形成される。クッションカバー４２の一側辺４２ｄは、クッション４１を収納可能とするために開閉自在に形成され、その両端にはファスナー４２ａが設けられる。この際、下辺４２ｂにはファスナーは設けられない。Ｌ型プレート２０を挿入するためである。下辺４２ｂから延設される布片４２ｃには面状ファスナ４２ｅが設けられ、側辺４２ｄに設けられた面状ファスナ４２ｆと当接し接合するものである。使用時にはクッション４１をクッションカバー４２内に収容し、布片４２ｃを閉じ、その上から側辺４２ｄを被せ、上記面状ファスナ４２ｅ，４２ｆを接合させることで閉じた状態を維持し、更にファスナ４２ａを閉じるものである。この際、布片４２ｃと側辺４２ｄの間の空間にＬ型プレート２０を挿入するものである。
【００３７】
上記Ｌ型プレート２０によるクッション部材４０の支持方法はむろん一例であり、クッション部材４０を支持できるのであれば、任意の方法を採用可能である。
【符号の説明】
【００３８】
１０・・係止プレート
２０・・Ｌ型プレート
３０・・ベルト部材
３１・・アジャスタ
４０・・クッション部材
４１・・クッション
４２・・クッションカバー
【図１】
0003186007.tif 000003
【図２】
0003186007.tif 000004
【図３】
0003186007.tif 000005
【図４】
0003186007.tif 000006
【図５】
0003186007.tif 000007
【図６】
0003186007.tif 000008
【図７】
0003186007.tif 000009
【図８】
0003186007.tif 000010
【図９】
0003186007.tif 000011
【図１０】
0003186007.tif 000012
【図１１】
0003186007.tif 000013
【図１２】
0003186007.tif 000014
【図１３】
0003186007.tif 000015
【図１４】
0003186007.tif 000016